(57)【要約】   広帯域無線通信環境内の狭帯域および広帯域のオペレーションをサポートすることを促進するシステムおよび方法が記述される。例えば、広帯域オペレーションは狭帯域オペレーションと比較して情報のより速い通信を可能にすることにより増強したり、広帯域装置に利用可能な補足のデータを転送することなどができる。別の例に準ずると、広帯域の装置が時間区間の縮小されたセットの期間中に多くのサブバンドの上で情報のセットを受け取ることができる一方、１セットの時間区間の期間中に複数のサブバンドの中の１つの上で１セットの情報を狭帯域装置が得ることを可能にするために、情報転送のタイミングは多くのサブバンド上にスケジュールされることができる。【選択図】図５
2010504704.tif 000002
【特許請求の範囲】
【請求項１】
広帯域無線環境において狭帯域と広帯域の装置に情報を通信することを容易にする方法、該方法は下記を備える：
第１のサブバンドを介して狭帯域無線端末に関する情報ユニットの１セットを送信すること、ここで、前記情報ユニットのセットは時間区間の第１のセットの期間内に送信される；および、
前記第１のサブバンドを含む複数のサブバンドを介して広帯域無線端末に関する情報ユニットの前記セットを送信すること、ここで、情報ユニットの前記セットは前記第１のセットよりも少ない時間区間を含む時間区間の第２のセットの期間内に送信される。
【請求項２】
請求項１記載の方法、ここにおいて、
前記第１のサブバンドを介して送信された情報ユニットの前記セットは前記狭帯域無線端末が情報ユニットの前記セットを復号化することを可能にする。
【請求項３】
請求項１記載の方法、ここにおいて、
前記複数のサブバンドを介して送信された情報ユニットの前記セットは前記広帯域無線端末が情報ユニットの前記セットを復号化することを可能にする。
【請求項４】
さらに下記を備える請求項１記載の方法：
第１の時間区間内に前記第１のサブバンドの上で情報ユニットの前記セットからの一つの情報ユニットを送信すること、ここで、情報ユニットの前記セットは、時間区間の前記第１のセットの期間中に前記第１のサブバンドの上で送信される；および、
別個の第２の時間区間内に異なる第２のサブバンドの上で前記情報ユニットを送信すること、ここで、情報ユニットの前記セットは、時間区間の前記第１のセットの期間中に前記第２のサブバンドの上で送信される。
【請求項５】
さらに下記を備える請求項１記載の方法：
共通の時間区間の期間中における複数の異なるサブバンドの上での特定の情報ユニットの反復を軽減するために、複数のサブバンド間における情報ユニットの前記セットのずらされた送信をスケジューリングすること。
【請求項６】
さらに下記を備える請求項１記載の方法：
前記第２のセット中の時間区間以外の時間区間の前記第１のセット中の時間区間の期間中に、前記第１のサブバンド以外のサブバンドの上での送信を抑制すること。
【請求項７】
さらに下記を備える請求項１記載の方法：
前記第２のセット中の時間区間以外の時間区間の前記第１のセット中の時間区間の期間中に、前記第１のサブバンド以外のサブバンドの上で補足データを転送すること。
【請求項８】
下記を備える無線通信装置：
時間周期の第１のセットの期間中に第１のサブバンドの上で情報ユニットの１セットを送信すること、及び時間周期の第２のセットの期間中に前記第１のサブバンドを含む複数のサブバンドの上で情報ユニットの前記セットを送信することに関係した命令を保持するメモリー、ここで、前記第２のセットは前記第１のセットよりも少ない時間周期を含む；および、
前記メモリーに結合され、前記メモリー内に保持された前記命令を実行するように構成されたプロセッサー。
【請求項９】
請求項８記載の無線通信装置、ここにおいて、前記メモリーは下記を実行するための命令をさらに保持する：
第１の時間周期内に前記第１のサブバンドの上で情報ユニットの前記セットからの一つの情報ユニットを送信すること；および、
別個の第２の時間周期内に異なる第２のサブバンドの上で前記情報ユニットを送信すること。
【請求項１０】
請求項９記載の無線通信装置、ここにおいて、
情報ユニットの前記セットは、時間周期の前記第１のセットの期間中に前記第２のサブバンドの上で送信される。
【請求項１１】
請求項８記載の無線通信装置、ここにおいて、前記メモリーは下記を実行するための命令をさらに保持する：
共通の時間区間の期間中における複数の異なるサブバンドの上での特定の情報ユニットの反復を軽減するために、複数のサブバンド間における情報ユニットの前記セットの送信をずらすこと。
【請求項１２】
請求項８記載の無線通信装置、ここにおいて、前記メモリーは下記を実行するための命令をさらに保持する：
前記第２のセット中の時間周期以外の時間周期の前記第１のセット中の時間周期の期間中に前記第１のサブバンド以外のサブバンドの上で送信が無いことをスケジューリングすることにより干渉を軽減すること。
【請求項１３】
請求項８記載の無線通信装置、ここにおいて、前記メモリーは下記を実行するための命令をさらに保持する：
前記第２のセット中の時間周期以外の時間周期の前記第１のセット中の時間周期の期間中に前記第１のサブバンド以外のサブバンドの上で補足的データを送信すること。
【請求項１４】
広帯域および狭帯域の無線通信デバイスをサポートすることを可能にする無線通信装置、該装置は下記を備える：
時間区間の第１のセットの期間中に第１のサブバンドを介して情報ユニットのセットを転送する手段；および、
前記第１のセットよりも少ない時間区間を含む時間区間の第２のセットの期間中に、前記第１のサブバンドを含む複数のサブバンドを介して情報ユニットの前記セットを転送する手段。
【請求項１５】
さらに下記を備える請求項１４記載の無線通信装置：
複数の異なるサブバンドの上での特定の情報ユニットの並列的な転送を軽減するために、複数のサブバンド間で情報ユニットの前記セットの送信をずらす手段。
【請求項１６】
さらに下記を備える請求項１４記載の無線通信装置：
時間区間の前記第１のセットの期間中に第２のサブバンドを介して情報ユニットの前記セットを転送する手段、ここで、各時間区間において、異なる複数の情報ユニットは前記第１のサブバンドと前記第２のサブバンドを介して転送される。
【請求項１７】
さらに下記を備える請求項１４記載の無線通信装置：
前記第２のセット中の時間区間以外の時間区間の前記第１のセット中の時間区間の期間中における前記第１のサブバンド以外のサブバンドの上での転送を抑制する手段。
【請求項１８】
さらに下記を備える請求項１４記載の無線通信装置：
前記第２のセット中の時間区間以外の時間区間の前記第１のセット中の時間区間の期間中に前記第１のサブバンド以外のサブバンドの上で補足的データを送信する手段。
【請求項１９】
下記を実行するための機械実行可能な命令がその上に格納された機械可読媒体：
時間区間の第１のセットの期間中に第１のサブバンドを介して情報ユニットのセットを送信すること；および、
前記第１のセットと比較して縮減された数の時間区間を含む時間区間の第２のセットの期間中に、前記第１のサブバンドを含む複数のサブバンドを介して情報ユニットの前記セットを送信すること。
【請求項２０】
前記機械実行可能な命令がさらに下記を備える請求項１９記載の機械可読媒体：
第１の時間区間内に前記第１のサブバンドの上で情報ユニットの前記セットからの一つの情報ユニットを送信すること、ここで、情報ユニットの前記セットは、時間区間の前記第１のセットの期間中に前記第１のサブバンドの上で送信される；および、
別個の第２の時間区間内に異なる第２のサブバンドの上で前記情報ユニットを送信すること、ここで、情報ユニットの前記セットは、時間区間の前記第１のセットの期間中に前記第２のサブバンドの上で送信される。
【請求項２１】
前記機械実行可能な命令がさらに下記を備える請求項１９記載の機械可読媒体：
複数の異なるサブバンドの上での特定の情報ユニットの並列的な転送を軽減するために、複数のサブバンド間で情報ユニットの前記セットの送信をずらすこと。
【請求項２２】
前記機械実行可能な命令がさらに下記を備える請求項１９記載の機械可読媒体：
前記第２のセット中の時間区間以外の時間区間の前記第１のセット中の時間区間の期間中における前記第１のサブバンド以外のサブバンドの上での送信を抑制すること。
【請求項２３】
前記機械実行可能な命令がさらに下記を備える請求項１９記載の機械可読媒体：
前記第２のセット中の時間区間以外の時間区間の前記第１のセット中の時間区間の期間中に前記第１のサブバンド以外のサブバンドの上で補足的データを送信すること。
【請求項２４】
無線通信システムにおける下記を備える装置：
下記を実行するように構成されたプロセッサー：
時間区間の第１のセットの期間内に第１のサブバンドを介して狭帯域無線端末に関する情報ユニットの１セットを転送すること；および、
前記第１のサブバンドを含む複数のサブバンドを介して広帯域無線端末に関する情報ユニットの前記セットを転送すること、ここで、前記第１のセットよりも少ない時間区間を含む時間区間の縮減された第２のセットの期間中に、情報ユニットの前記セットは転送される。
【発明の詳細な説明】
【技術分野】
【０００１】
この出願は、2006年9月19日に出願され、「ACCOMODATING WIDEBAND AND NARROWBAND COMMUNICATION DEVICES」と題された、米国の仮特許出願60/845,938号の利益を主張する。前述の出願の全体は、参照によって本明細書に組込まれる。下記の記述は、一般には無線通信、より具体的には無線通信環境内で狭帯域および広帯域の通信装置を収容することに関係がある。
【背景技術】
【０００２】
無線通信システムは様々なタイプの通信を提供するために広く展開されている;
例えば、音声および／またはデータはそのような無線通信システムによって提供されるかもしれません。典型的な無線通信システム(すなわちネットワーク)は、1つ以上の共有資源への複数のユーザ・アクセスを提供することができます。例えば、システムは、周波数分割多重(FDM)、時分割多重(TDM)、符号分割多重化(CDM)、直交周波数分割多重(OFDM)、その他のような様々な多元接続技術を使用するかもしれない。
【０００３】
一般的な無線通信システムは、カバレージ・エリアを提供する1つ以上の基地局を使用する。典型的な基地局は、放送、マルチキャストおよび／またはユニキャスト・サービス用の多数のデータ・ストリームを送信することができ、ここで、データ・ストリームは、一の無線端末にとって独立して受信することに関心があるデータのストリームかもしれない。そのような基地局のカバレージ・エリア内の無線端末は、合成ストリームによって運ばれたデータ・ストリームの一つ、一つ以上、または全てを受け取るために採用することができる。同様に、無線端末は基地局あるいは別の無線端末へデータを送信することができる。
【０００４】
無線端末はそれぞれ、送信によって1つ以上の基地局と順方向リンク及び逆方向リンク上で通信し続けることができる。順方向リンク(すなわち、ダウンリンク)は基地局から無線端末への通信リンクを指します。また、逆方向リンク(すなわち、アップリンク)は無線端末から基地局への通信リンクを指す。一つの例によれば、無線通信システムは、順方向、および／または逆方向リンクを介して通信するための無線スペクトル内の周波数帯域をレバレージすることができる。この例に対してさらに、広帯域無線通信システムにおいて、無線端末は、しばしば基地局によってダウンリンク送信のために利用された周波数帯域内の全てのチャネルを復号化する。しかしながら、複数の無線端末のうちのいくつかが(例えば音声に関連する通信のために)より小さな帯域幅上で作動することができるので、従来の技術は非効率的でありうる; したがって、全周波数帯域(例えば基地局が情報を送るすべてのチャネル)の復号化は、これらの無線端末の処理能力を浪費するかもしれない。さらに、いくつかの無線端末(例えばより少ない機能を備えた無線端末)は、その全体の周波数帯域ではなく周波数帯域の一部を復号化することができ、したがって、より小さな周波数範囲上で作動するような無線端末は典型的な広帯域無線通信システムによっては一般的にはサポートされていないかもしれない。
【発明の概要】
【０００５】
下記は1つ以上の実施例の単純化された要約を、そのような実施例の基本的な理解を提供するために提示する。この要約はすべての考えられた実施例の広範囲な概観でなく、全ての実施例の鍵となるまたは重要な要素を識別もしないし、何れかあるいは全ての実施例の範囲を描写もしないように意図される。その唯一の目的は、後で示されるより詳細な記述に対する前ぶれとして、単純化された形式において1つ以上の実施例のいくつかの概念を提示することである。
【０００６】
1つ以上の実施例およびそれに対応する開示に従って、種々の態様は、広帯域無線通信環境中の狭帯域および広帯域の動作のサポートを容易にすることに関して記述されます。例えば、広帯域動作は、狭帯域動作と比較してより速い情報の通信や、広帯域装置に利用可能な補足データの転送、その他同様のものを可能にすることにより拡張されることが可能である。別の例に準じて、情報転送のタイミングは1セットの時間区間の期間中に複数のサブバンドのうちの1つの上で狭帯域装置が1セットの情報を得ることを可能にするために複数のサブバンド上にスケジュールすることができ、その一方で、広帯域の装置は縮減された時間区間のセットの期間中に複数のサブバンド上で該情報のセットを受け取ることができる。
【０００７】
関連する態様に従って、広帯域無線環境中の狭帯域および広帯域の装置に情報を伝えることを容易にする方法が、本明細書で記述される。該方法は第１のサブバンドを介して狭帯域無線端末に関して1セットの情報ユニットを送信することを含み、ここで、情報ユニットの前記セットは、時間区間の第１のセットの期間中に送信される。さらに、該方法は第１のサブバンドを含んでいる複数のサブバンドを介して広帯域無線通信ターミナルに関して情報ユニットのセットを送信することを備えることができ、ここで、情報ユニットのセットは、第１のセットより少数の時間区間を含んでいる時間区間の第２のセットの期間中に送信される。
【０００８】
もう一つの態様は無線通信装置に関係する。時間周期の第１のセットの期間中に第１のサブバンド上で1セットの情報ユニットを送ること、および時間周期の第２のセットの期間中に該第１のサブバンドを含んでいる、複数のサブバンドの上で情報ユニットのセットを送り、該第２のセットは該第１のセットより少数の時間周期を含んでいることと関係する命令を保持するメモリーを無線通信装置は含むことができる。さらに、無線通信装置はメモリーに結合され、メモリー中に保持された命令を実行するように構成されたプロセッサーを備えることができる。
【０００９】
さらにもう一つの態様は、広帯域および狭帯域の無線通信装置をサポートすることを可能にする無線通信装置に関係する。無線通信装置は、時間区間の第１のセットの期間中に第１のサブバンドによって1セットの情報ユニットを転送するための手段;および、該第１のセットより少数の時間区間を含んでいる、時間区間の第２のセットの期間中に、第１のサブバンドを含んでいる複数のサブバンドを介して該１セットの情報ユニットを転送するための手段を含むことができる。
【００１０】
さらにもう一つの態様は、時間区間の第１のセットの期間中に第１のサブバンドを介して１セットの情報ユニットを送信し、第１のセットと比較して減少された数の時間区間を含んでいる時間区間の第２のセットの期間中に、第１のサブバンドを含んでいる複数のサブバンドを介して１セットの情報ユニットを送信するための機械実行可能な命令をその上に格納した機械可読媒体に関係する。
【００１１】
別の態様に従って、無線通信システムにおける装置はプロセッサーを含むことができ、ここで、該プロセッサーは時間区間の第１のセットの期間中に第１のサブバンドを介して狭帯域の無線端末に関して１セットの情報ユニットを転送するように構成することができる。さらに、該プロセッサーは第１のサブバンドを含んでいる複数のサブバンドを介して広帯域の無線端末に関して１セットの情報ユニットを転送するように構成することができ、該１セットの情報ユニットは、該第１のセットより少数の時間区間を含んでいる、時間区間の縮減された第２のセットの期間中に転送される。
【００１２】
上述され、関係する目的の達成のために、請求項中で特に指摘され、下記において完全に記述された特徴を1つ以上の実施例は備える。下記の記述および付加された図面は、1つ以上の実施例のある実例となる態様を詳細に述べる。しかしながら、これらの態様は、様々な実施例の原理が採用されるかもしれない様々な方法の一部だけを表示し、および記述された実施例は、そのような態様およびそれらの均等物を全て含むように意図される。
【図面の簡単な説明】
【００１３】
【図１】本明細書で述べられた種々の態様に従う無線通信システムの図解
【図２】狭帯域および広帯域の通信の両方をサポートするシステムにおいて情報をブロードキャストする例示的方式の図解
【図３】情報をブロードキャストする別の例示的方式の図解
【図４】広帯域および狭帯域の無線通信をサポートする例示的システムの図解
【図５】セル間の干渉を緩和する広帯域および狭帯域の通信をサポートする例示的方式の図解
【図６】広帯域無線通信環境内で狭帯域および広帯域の装置に情報を伝えることを容易にする例示的方法の図解
【図７】狭帯域および広帯域の装置をサポートする環境において広帯域性能を拡張するために、異なるサブバンド上で、情報ユニットのずらされた転送を容易にするための例示的方法の図解
【図８】多数のセルを含む種々の態様に従って実装された例示的通信システムの図解
【図９】種々の態様に従う例示的基地局の図解
【図１０】本明細書において記述された種々の態様に従って実装された例示的な無線端末(例えば移動装置、エンド・ノード...)の図解
【図１１】広帯域および狭帯域の無線通信装置をサポートすることを可能にする例示的システムの図解
【発明を実施するための形態】
【００１４】
様々な実施例はこれから図面を参照して記述され、ここで、同様の参照数字が、全体を通して同様の要素を参照するために使用される。下記の記述では、説明の目的のために、多数の具体的な詳細は1つ以上の実施例についての完全な理解を提供するために述べられる。しかし、そのような実施例がこれらの具体的な詳細なしで実施されることが可能であることは明白であろう。他の実例では、１つ以上の実施例について記述することを容易にするために周知の構造および装置はブロック図の形で示される。
【００１５】
この出願の中で使用されているように、用語「コンポーネント」、「モジュール」、「システム」などは、コンピューター関連の実体を参照するように意図され、これらは、ハードウェア、ファームウェア、ハードウェアとソフトウェアの組み合わせ、ソフトウェア、あるいは実行中のソフトウェアの何れかである。例えば、コンポーネントは、プロセッサー上で走るプロセス、プロセッサー、オブジェクト、1つの実行可能コード、実行のスレッド、プログラムおよび／またはコンピューターでありえるが、これに制限されない。例示するならば、計算装置上で作動するアプリケーション、および計算装置の両方は、コンポーネントになりえる。１つ以上のコンポーネントがプロセスおよび/または実行のスレッドの内部に存在し、コンポーネントは１台のコンピューターに局所配置され、および／または、２台以上のコンピューター間で分散されるかもしれない。さらに、これらのコンポーネントは、その上に様々なデータ構造を格納する様々なコンピューター読取り可能なメディアから実行することができる。コンポーネントは、1つ以上のデータ・パケット(例えばローカル・システム、分散システム中の別のコンポーネントと、および／または、インターネットのようなネットワークを介して他のシステムと信号の形で対話する１つのコンポーネントからのデータ)を有する信号に従って、ローカルのプロセスおよび／または遠隔のプロセスの形で通信するかもしれない。
【００１６】
更に、様々な実施例は、無線端末に関して本明細書で記述される。無線端末はまた、システム、加入者ユニット、加入者局、移動局、モバイル、移動装置、遠隔局、遠隔端末、アクセス端末、ユーザ端末、端末、無線通信装置、ユーザ・エージェント、ユーザ装置あるいはユーザ設備(UE)と呼ぶことができます。無線端末は、携帯電話、コードレス電話、セッション設定プロトコル(SIP)電話、無線ローカル・ループ(WLL)局、携帯情報端末(PDA)、無線接続機能を持っている携帯型の装置、計算装置あるいは無線モデムに接続された他の処理装置かもしれない。さらに、様々な実施例は、基地局に関してここに記述される。基地局は無線端末と通信するために利用されるかもしれないし、アクセス・ポイント、ノードB、あるいは他の何らかの用語で呼ばれるかもしれない。
【００１７】
さらに、本明細書に記述された種々の態様または特徴は、標準的プログラミングおよび／またはエンジニアリング技術を使用する方法、装置、あるいは製造品として実装されてもよい。本明細書で使用される「製造品」は、任意のコンピュータ可読装置、キャリアーあるいは媒体からアクセス可能なコンピュータ・プログラムを包含するように意図される。例えば、コンピュータ可読媒体は、磁気記憶装置(例えばハードディスク、フロッピー（登録商標）ディスク、磁気ストリップなど)、光ディスク(例えばコンパクト・ディスク(CD)、ディジタル多用途ディスク(DVD))、スマート・カードおよびフラッシュ・メモリー装置(例えばEPROM、カード、スティック、キードライブなど)を含むことができるが、これらに制限されない。さらに、本明細書で記述された様々な記憶媒体は、情報の格納のための１つ以上の装置および／または他の機械可読媒体を表わすことができる。用語「機械可読媒体」は、無線通信チャネル、および指示および／またはデータを格納でき、含むことができ、および/または運ぶことのできる様々な他の媒体を含むことができるが、これらに制限されない。
【００１８】
ここで図1を参照すると、無線通信システム100はここに示された様々な実施例に従って図解される。システム100は基地局102および１つ以上の無線端末(例えば無線端末1 104、無線端末2 106...、無線端末X 108、ここで、Xが実質的に任意の整数になりえる)を備える。1つの基地局(例えば基地局102)が図示されているが、システム100は、基地局102と同様の実質的に任意の数の基地局を含むことができると考えられる。基地局102は追加的に送信器チェーンおよび受信器チェーンを含むことができ、当業者によって理解されるように、それらの各々はそれぞれ、信号の送信および受信と関係付けられた複数のコンポーネント(例えばプロセッサー、変調器、多重化器、復調器、逆多重化器、アンテナなど)を備える。
【００１９】
基地局102は、実質的に任意の数の無線端末(例えば無線のターミナル104-108)と通信することができます。無線端末104-108は、例えば携帯電話、スマートフォン、ラップトップ、携帯型の通信装置、携帯型の計算装置、衛星ラジオ、全地球測位システム、PDAおよび／または無線通信システム100に関して通信するための他の任意の適切な装置でありうる。無線端末104-108は順方向リンク(ダウンリンク)上で基地局102から情報を得て、および／または逆方向リンク(アップリンク)上で基地局102へ情報を送信することができる。さらに、システム100は狭帯域および広帯域の両方の無線端末をサポートすることができます;したがって、無線端末104-108は広帯域の無線端末および／または狭帯域の無線端末になりえる。例えば、無線端末1 104は、基地局102によって送信のために利用された周波数帯域全体(例えば基地局102がその上でデータを転送する１セットのサブバンド内の全てのサブバンド)を復号化することができる広帯域無線通信ターミナルでありえ、無線端末2 106は、基地局102によって採用された１セットのサブバンドからの１つのサブバンドを復号化することができる狭帯域無線端末でありえ、および、無線端末X 108は、狭帯域と広帯域の動作の間を遷移させることができる（例えば、１つのサブバンド、あるいはサブバンドのセット全体を所定の時刻に復号化する）；しかしながら、特許請求された主題は、前述の例に限定されない。
【００２０】
基地局102は、ダウンリンク上で無線端末104-108の１つ以上へ情報を送るダウンリンク送信器110をさらに含んでいます。例えば、ダウンリンク送信器110は、地理的な位置内の一部または全ての無線端末104-108にブロードキャスト、マルチキャスト、ユニキャストなどを介して基地局102が情報を送信することを可能にすることができる。さらなる例示として、ダウンリンク送信器110は、ダウンリンク上で送信するための5MHzの周波数帯をレバレージすることができる;しかしながら、無線端末104-108と通信するためにダウンリンク送信器110によって、実質的に任意のサイズの周波数帯が採用されうると考えられる。
【００２１】
ダウンリンク送信器110は、時間の関数として、ダウンリンク送信器110によって採用される周波数帯内での、実質的に任意の数のサブバンドの上での送信のために情報を選択するサブバンド・スケジューラ112をさらに含むことができる。一例によれば、広帯域の5MHzの無線システムは3つのサブバンドに分割することができ、各サブバンドは1.67MHzの占有帯域幅がある;さらに、該サブバンドは、互いに実質的に同様である可能性がある(例えば、各サブバンドは実質的に同様の制御チャネルを運ぶことができる)。合計３つのサブバンドの例は例示の目的のために下記に述べられるが、該周波数帯は３つのサブバンドより多い、または少ないサブバンドへ分割することができることが理解される。サブバンド・スケジューラ112は、各時間周期の間に３つのサブバンドの各々の上で送信された情報を制御できる。したがって、サブバンド・スケジューラ112は、狭帯域の機能をサポートする一方で、広帯域動作を拡張する方法でサブバンドの各々の上での情報伝送をスケジュールすることができる。
【００２２】
さらに、図示されていないが、各サブバンドはサブバンド・スケジューラ112と同様のそれぞれのサブバンド・スケジューラと関係付けられることが可能である。
【００２３】
サブバンド・スケジューラ112は、ダウンリンク上での様々なタイプの情報の転送をコントロールすることを可能にすることができる。例えば、該情報は、基地局102と関係するアクセス(例えば獲得、ハンドオフ、...)のために無線端末104-108によって利用された制御データ(例えばオーバーヘッド・データ)でありうる(例えば、その後、ユニキャスト・メッセージは通信されることができる、等)。別の実例に従うと、セルおよび／またはサブバンドの状態を識別するために無線端末104-108によって負荷の情報が採用されることができる場合に、該情報は、一般にセルと関係付けられた該負荷に関係し、および／または，具体的には、セルと関係するサブバンドに関係しうる。さらに、この実例に関し、無線端末104-108は、負荷の情報に基づいた調節を有効化することができます。さらに、広帯域の無線端末は、(例えばデータの追加の通信のための)特定のサブバンドを選択するために、サブバンドの各々に関連したロード・バランシングを実行することができる。別の例示として、サブバンド・スケジューラ112はブロードキャスト、および／またはマルチキャスト・サービス(例えば、ダウンリンク上でビデオコンテンツを送るなど)と関係する情報を送信することを可能とすることができる。
【００２４】
無線端末104-108の1つ以上は広帯域対応かもしれない;したがって、そのような広帯域対応の無線端末(例えば、広帯域無線端末)は、基地局102によってダウンリンク送信のために採用されたサブバンドのセット内の全てのサブバンド(例えば３つのサブバンドの全て)を処理することができます。さらに、1つ以上の無線端末104-108は狭帯域対応でありえ(例えば、狭帯域無線端末)、したがって、1つのサブバンドを処理することができる。例えば狭帯域無線端末は複数のサブバンドのうちの1つにおけるトラフィックを得ることができる;従って、他方のサブバンドによって運ばれたトラフィックを、この無線端末によって処理する必要はありません。狭帯域無線端末は典型的にはより少ない処理能力を使用するので、ピーク時の処理性能がより低いとはいえ、そのような装置はより安く、より電力効率が良くなりえる。一方、より高いコストで、およびより少ない電力効率でとはいえ、広帯域無線端末は、同じシステム上でより高いピーク時性能を供給する。
【００２５】
基地局102は、無線端末104-108へのダウンリンク中で情報を(例えば、ダウンリンク送信器110を介して)ブロードキャストすることができる。一例に準ずると、サブバンドの各々においてブロードキャストされている情報を反復することにより、広帯域と狭帯域の無線端末は両方ともサポートされることができる。したがって、サブバンド・スケジューラ112は、特定の時間区間の間に、各サブバンドにおいて共通の情報をブロードキャストすることを可能にすることができる。別の実例によれば、サブバンド・スケジューラ112は、狭帯域無線端末をサポートすることを継続する一方で、広帯域無線端末の性能を拡張するために、異なるサブバンドを介して、共通の情報が送信されるために、時間をずらすことができる。この実例に準じて、サブバンド・スケジューラ112は、ダウンリンク上でダウンリンク送信器110によって送られる情報を別個の複数の部分(例えば、複数の情報ユニット)へと分割することができる。さらに、サブバンド・スケジューラ112は、サブバンドの各々において並行して反復されないように、異なる時間区間の間に実質的に同様の情報ユニットが転送のためにそれによってスケジュールされるダウンリンク送信を可能にすることができる。
【００２６】
図２に図解されているのは、狭帯域および広帯域の通信の両方をサポートするシステムにおいて情報をブロードキャストするための例示的方式200である。図示されるように、広帯域のシステムは３つのサブバンド(例えばサブバンド1、サブバンド2、およびサブバンド3)に分割することができる;しかしながら、それは熟考されます、実質的に任意の数のサブバンドを利用することができると考えられる。サブバンドの各々はブロードキャストチャネルを含むことができる。さらに、ブロードキャストチャネルの各々は一の時間区間中において１ユニットの情報を伝えることができる。実例に準ずると、情報の３つのユニット(例えばA、BおよびC)は、基地局(例えば図1の基地局102)から無線端末(例えば図1の無線端末104-108)へブロードキャストされることができる;しかしながら、実質的に任意の数の情報ユニットがブロードキャストされることができると考えられる。例えば、情報Aは、時刻Nにおいてサブバンドの各々においてブロードキャストチャネル上で送信されることができ、情報Bは、時刻N+Kにおいてサブバンドの各々の上で送ることができ、情報Cは、時刻N+2Kにおいてサブバンドの各々の上で転送されることができる。狭帯域無線端末は一の時間ユニットの間に１つのサブバンドを処理することができる;したがって、ブロードキャストされている情報の３つのユニットは、この例における３つの時間ユニット中において狭帯域無線端末によって受け取られることが可能である。
【００２７】
例示的な方式200によれば、広帯域無線端末は、狭帯域無線端末と同じ量の時間で前記情報の３つのユニットを得ることができる。しかしながら、広帯域無線端末は一度に全てのサブバンドを復号化することができる。共通の情報が各時間周期の間に前記３つのサブバンドの各々の中で反復されるという方式200において示されたアプローチを採用することにより、広帯域無線端末の性能は狭帯域無線端末と比較して改善されない可能性があり、それは、両方のタイプの装置が等しい量の時間(例えば３つの時間ユニット)でブロードキャスト情報の３つのユニットを得ること可能だからである。
【００２８】
ここで図3を参照すると、図解されるものは情報をブロードキャストするための別の例示的方式300です。方式300は３つのサブバンド(例えばサブバンド1、サブバンド2およびサブバンド3)を含んでいる;しかしながら、３つのサブバンドより多くのまたは少ないサブバンドが使用されることが可能であると考えられる。示された例によれば、基地局は、ダウンリンク上で３つの情報ユニットA、BおよびCをブロードキャストすることができる(例えば、ブロードキャストされる情報は３つの情報ユニットへ分割することができる)。サブバンド・スケジューラ(例えば図1のサブバンド・スケジューラ112)はさらに、サブバンドの各々の上での情報ユニットに関する伝送時間を制御することができる。方式300で示されるアプローチの利用は広帯域無線端末に対して改善された性能を供給することができる。特に、広帯域無線端末は、一度に全てのサブバンドを処理することができるという長所によって、狭帯域無線端末と比較して、より少ない量の時間で(例えば方式300の１つの時間ユニット内で)前記３つのブロードキャスト情報ユニット(例えば、情報ユニットA、BおよびC)を受け取ることができる。特定の一の時間区間の間に前記３つのサブバンド中での反復無しで前記３つの情報ユニットがスケジュールされるように、前記３つの情報ユニットはずらされることが可能である。一方、狭帯域無線端末は、３つの時間ユニットにわたって３ユニットのブロードキャスト情報を受信することができる;したがって、方式300で示されるように、３つの情報ユニットの全ては、３つのサブバンドのうちの何れの上においても十分な量の時間で取得されることができる。狭帯域無線端末は、３つの情報ユニットを産出するために前記複数のサブバンドのうちの何れか一つを復号化することができる。従って、(例えば、広帯域無線端末は、より少ない量の時間で情報を得ることができるので)狭帯域無線端末と比較して、広帯域無線端末はより良好な性能を経験することが可能である。
【００２９】
別の例(図示されず)によれば、12個の情報ユニットは方式300で図示されたのと同様のアプローチを使用して送信されることができる。各サブバンドは、12個の時間スロット上で12個の情報ユニットを送信することができる(例えば時間スロットの各々において１つの情報ユニット);したがって、狭帯域無線端末は、12個の時間スロットの上で12個の情報ユニットの全てを得るために、前記サブバンドのうちの何れか１つを復号化することができる。さらに、１つの時間スロット中で２以上のサブバンド上での共通の情報ユニットの並行送信を回避するために、送信はサブバンド間でずらされることが可能である。さらに、それによって３つのサブバンドにわたって４つの隣接した時間スロット内で１つの時間スロット中にサブバンドのうちの１つの上で12個の情報ユニットの各々が転送されるスケジュールが利用されることができます;従って、広帯域無線端末は４つの時間スロット中に12個の情報ユニットを得ることができる。別の実例に準ずると、12個の情報ユニットの部分集合は高度に重要になりえる(例えば、受信器での事前のレンダリング処理のために利用されることができる、...)；したがって、該情報ユニットの部分集合は、12個の情報ユニットの残りのものより頻繁に送信されることができます。さらなる例として、狭帯域無線端末は、復号化するべき異なるサブバンド間をジャンプすることができる。この例によれば、サブバンドの間を切り替えるために、および／または復号化のためのサブバンドを識別するために(例えば、狭帯域の性能を最適化するために)レバレージされうるメタデータは狭帯域無線端末によって得ることができる。例えば、情報ユニットの受け取りの順序は無関係かもしれないし(例えば、情報ユニットの利用は情報ユニットの１セットを得ることで始まることが可能である)、および／または、関係あるかもしれない(例えば、情報ユニットの１セットからの特定の情報ユニットは事前のレンダリング処理のために利用されることができる)。
【００３０】
図4に関して図解されているものは、広帯域および狭帯域の無線通信をサポートするシステム400である。システム400は、狭帯域無線端末402および／または広帯域無線端末404と通信する基地局102を含んでいます。システム400は、狭帯域無線端末402と同様の任意の数の狭帯域無線端末、および広帯域無線端末404と同様の任意の数の広帯域無線端末を含むことができると考えられる。一の実例によれば、狭帯域無線端末402は、基地局102によりサポートされた周波数帯の狭帯域部分のみで動作する無線端末、および／または、帯域の狭帯域部分中で作動することを選択する装置(例えば、広帯域動作をもサポートすることができる装置)でありうる。
【００３１】
基地局102は、狭帯域無線端末402、および／または広帯域無線端末404へのダウンリンクを介して情報を送信することを可能にするダウンリンク送信器110を備えることができる。ダウンリンク送信器110は、狭帯域無線端末402および／または広帯域無線端末404との通信のために、ダウンリンク送信器110によって利用される複数のサブバンド上で送信を制御するためのサブバンド・スケジューラ112をレバレージすることができる。例えば、サブバンド・スケジューラ112は、１回目に第１のサブバンドおよび２回目に第２のサブバンドの上で転送される情報ユニットを割り付けることができます。さらに、サブバンド・スケジューラ112によって生成された全てのサブバンドにわたる全面的なスケジューリングは、広帯域無線端末404の性能を拡張する一方で、狭帯域無線端末402の動作をサポートすることを可能にすることができる。例えば、広帯域無線端末404は、ダウンリンク上で送られた情報を狭帯域無線端末402より速く得ることができる;したがって、広帯域無線端末404は、基地局102からのコンテントをより迅速に利用するなどして、基地局102に対してより速くハンドオフすることを可能にする場合があります。
【００３２】
サブバンド・スケジューラ112はさらに、広帯域無線端末404のための追加の情報を提供することができる広帯域拡張器406を含むことができる。例えば、狭帯域無線端末402および広帯域無線端末404の両方に関するブロードキャスト情報は、複数のサブバンドの中の部分集合(例えば1つのサブバンド)を介していつでも送信されることができる。さらに、残りのサブバンドは、複数の時間区間の中の部分集合の期間中に広帯域無線端末404へそのようなブロードキャスト情報を送信するために採用することができる。他の時間区間の期間中に、残りのサブバンドは、広帯域無線端末404に対して追加的なコンテントを供給するために利用することができる。追加的に、あるいは代替的に、送信は残りのサブバンド上で、そのような他の時間区間の期間内に生じる必要はない。したがって、広帯域拡張器406は、広帯域無線端末404によって得られた情報の反復を緩和することができ；むしろ、補助情報は、広帯域無線端末404の性能を増大するために送信されることができ、および／またはセル間の干渉は、複数のサブバンドのうちのいくつかの上での、複数の時間区間の中の一部の期間内でのブロードキャスト送信を禁じることにより緩和することができる。
【００３３】
ここで図5に移ると、図解されているのはセル間の干渉を緩和する広帯域および狭帯域の通信をサポートする例示的方式500です。情報の３つのユニット(例えば情報ユニットA、BおよびC)を通信することに関して、３つのサブバンドが方式500で図解される；しかしながら、任意の数の情報ユニットを転送するために任意の数のサブバンドが利用されることができると考えられる。方式500で図示された例示的アプローチの使用によって、狭帯域無線端末は、情報の３つのユニットを得るためにサブバンド２を復号化することができる。さらに、広帯域無線端末は、３つの情報ユニットを得るために時間Nで３つのサブバンドを処理することができる。その間に、基地局は時間N+KとN+2Kの期間内にサブバンド１および３の上で送信する必要はない。従って、狭帯域と広帯域の無線端末は図３に図示されたアプローチに匹敵する性能を経験することが可能である(例えば、広帯域無線端末が時間Nの開始時点で復号化すると仮定すると、さもなくば、広帯域無線端末が時間Nのわずかに後に到着するならば、図3のアプローチを利用する場合に、ブロードキャスト情報の全てを得るために、遅れた到着によるＫの遅れではなくほぼ３Ｋにわたって待つ可能性がある)。さらに、方式500のアプローチは、ブロードキャスト・チャネルの利用を減少させ、それにより、他のセルへもたらされる干渉を緩和する。別の実例によれば、広帯域無線端末のために意図された異なる補足的な情報(例えば、A、BおよびC以外の情報ユニット、本質的でないが有用な情報...)は、時間N+KおよびN+2Kの期間内にサブバンド１および３上に送ることができる。補足的な情報は、広帯域無線端末に関して、より豊富な、より速い等の１つの経験を提供することができる(例えば、より高い解像度に関連した情報、高鮮明度関連情報...)。
【００３４】
図６−７を参照すると、広帯域無線通信環境中の狭帯域および広帯域の装置に情報を転送することに関係のある方法が図解される。説明の単純性の目的のために、一連の動作として方法が示され、記述される一方、１つ以上の実施例に従うならば、本明細書に示され記述されたものとは異なる順序で幾つかの動作が発生し、および／または他の動作と並列に発生することが可能なので、前記方法は動作の順序によって限定されないことが理解され認識されるべきである。例えば、当業者は、状態ブロック図におけるような一連の相互関係がある複数の状態あるいは複数の事象として、一の方法が代替的に表されることが可能であると理解し認識するでしょう。さらに、図解された動作の全てが１つ以上の実施例に従って一の方法を実装するために必要とされるとは限らない。
【００３５】
図6に関して、図解されているものは、広帯域無線通信環境中の狭帯域および広帯域の装置に情報を伝えることを可能にする方法600である。602において、時間区間の第１のセットの期間中に情報ユニットのセットが送信されることができる場合、狭帯域無線端末に関する１セットの情報ユニットは第１のサブバンドを介して送信されることができる。例えば、情報ユニットのセットはブロードキャスト、マルチキャスト、ユニキャストなどの手段で転送することができる。さらに、任意の数の情報ユニットが、ダウンリンク上で送ることができるセット中に含まれることが可能である。さらに、情報ユニットはそれぞれ、第１のサブバンド上のそれぞれの時間区間内で送信することができる。604において、第１のセットより少数の時間区間を含んでいる、時間区間の第２のセットの期間中に、情報ユニットのセットを送信することができる場合、情報ユニットのセットは第１のサブバンドを含んでいる複数のサブバンドを介して広帯域無線端末に関して送信することができる。したがって、複数のサブバンドのうちの1つの上で情報ユニットのセットを送信するための時間の量と比較して、より少ない量の時間内で複数のサブバンド上でダウンリンクによって情報ユニットのセットは転送されることができる。例えば、共通の情報ユニットの送信は、異なるサブバンドにわたって時間的にずらされることが可能である。追加的に、または代替的に、第１のサブバンドは狭帯域装置に情報ユニットのセットを伝えるために利用することができ、その一方で、サブバンドのセット中の異なるサブバンドは、複数の時間区間の中の一部の期間内に情報ユニットを提供することができ、他方、残りの時間の間、送信を禁じ、および／または、そのような残りの時間の間、情報ユニット以外の補足的なデータを転送する。
【００３６】
ここで図7に移ると、図解されているものは、狭帯域および広帯域の装置をサポートする環境で広帯域性能を拡張するために、異なるサブバンド上で情報ユニットのずらされた転送を容易にする方法700である。702において、情報ユニットの１セットからの一の情報ユニットは、第１の時間区間の期間内に第１のサブバンドの上で送信されることができる。情報ユニットのセットは時間区間の１セットの期間内に第１のサブバンドの上で送信されることができる。704において、情報ユニットは異なる第２の時間区間の期間中に異なる第２のサブバンドの上で送信されることが可能である。さらに、情報ユニットのセットは時間区間の該セットの期間内に第２のサブバンドの上で送信されることができる。（図3に図示された）例によれば、３つの情報ユニットは、３つのサブバンドの上でダウンリンクによって転送されることができる。従って、３つの情報ユニットは３つの時間区間の期間中に一の特定のサブバンド上で送信されることが可能である。さらに、３つの情報ユニットは、２以上のサブバンド上での一の共通の情報ユニットの並列送信を緩和することができるように、異なるサブバンドの中でずらされることができる。したがって、狭帯域装置は、複数のサブバンドのうちの1つを復号化することにより情報ユニットのセットを得ることができ、その一方で広帯域の装置は、より少ない時間周期内で情報ユニットのセットを得るためにサブバンドのセットを復号化することができる。
【００３７】
本明細書に記述された1つ以上の態様に従って、広帯域と狭帯域の装置をサポートする環境内の性能の最適化に関して推論を行なうことができることが認識されるであろう。本明細書で使用されるように、用語「推論する」あるいは「推論」は、事象および／またはデータによって捕捉された1セットの観察から、システム、環境、及び／またはユーザの状態について論証する、または推論する方法を一般に指す。推論は特定のコンテキストかアクションを識別するために採用することができる、または例えば、状態に関する確率分布を生成することができます。推論は、確率的でありえる、すなわちデータと事象の考察に基づいて着目している状態に関する確率分布の計算である。推論はまた、１セットの事象および／またはデータから、より高いレベルの事象を構成するのに使用される技術を指すことができる。そのような推論は、１セットの観察された事象、および／または保存された事象データからの新しい事象あるいはアクションの構築、事象が緊密な時間的近接において相互に関連させられるか否か、および事象とデータは１つあるいは幾つかの事象およびデータのソースから来るか否かに帰着する。
【００３８】
一例によれば、上記に示した１つ以上の方法は、狭帯域動作中に復号化に関して第１のサブバンドから第２のサブバンドへと切り替えることを狭帯域装置に指示すべきかどうかを選択することに関係する推論をすることを含むことができる。別の例に従うと、補足の情報を提供するべきか、または複数の時間区間のうちの一部の期間中にサブバンドの部分集合上での送信を禁じるべきであるかを決定することに関連付けて推論がなされることが可能である。上記した例はその性質上例示的であり、行なうことができる推論の数、あるいはそのような推論が行なわれる方法を、本明細書に記述された様々な実施例および／または方法との関連で制限するようには意図されないことが認識されるであろう。
【００３９】
図８は、複数のセル、すなわちセルI 802、セルM 804を含む種々の態様に従って実装された例示的通信システム800を図示する。セル境界領域868によって示されるように、隣接するセル802および804がわずかにオーバーラップし、それにより隣接する複数のセルの基地局によって送信された信号間で信号干渉の可能性が作成されることに留意されたい。システム800のセル802および804はそれぞれ3つのセクターを含みます。種々の態様に従って、複数のセクターに再分割されていないセル(N=1)、２つのセクターを有するセル(N=2)、３つ以上のセクターを有するセル(N>3)もまた可能です。セル802は第１のセクター(セクターI 810)、第２のセクター(セクターII 812)、および第３のセクター(セクターIII 814)を含んでいる。セクター810、812、814はそれぞれ２つのセクタ境界領域を持っている;各境界領域は２つの隣接したセクター間で共有される。
【００４０】
セクター境界領域は、隣接するセクターの基地局によって送信された信号間の信号干渉の可能性を提供する。線816は、セクターI 810とセクターII 812の間のセクタ境界領域を表わし;線818は、セクターII 812とセクターIII 814の間のセクタ境界領域を表わし;線820は、セクターIII 814とセクター1 810の間のセクタ境界領域を表わす。同様に、セルM 804は第１のセクター（セクターI 822）、第２のセクター（セクターII 824）および第３のセクター(セクターIII 826)を含んでいる。線828は、セクターI 822とセクターII 824の間のセクタ境界領域を表わし;線830は、セクターII 824とセクターIII 826の間のセクタ境界領域を表わし;線832は、セクターIII 826とセクターI 822の間の境界領域を表わす。セルI 802は基地局(BS)(基地局I 806)、および各セクター810、812、814の中の複数のエンド・ノード(EN)(例えば無線端末)を含む。セクターI 810は無線リンク840、842によってそれぞれBS 806につながれたEN(1)836、およびEN(X)838を含み;セクターII 812は無線リンク848、850によってそれぞれBS 806につながれたEN(1')844、およびEN(X')846を含み;セクターIII 814は無線リンク856、858によってそれぞれBS 806につながれたEN(1")852、およびEN(X'')854を含む。同様に、セルM 804は、基地局M 808および各セクター822、824、826の中の複数のエンド・ノード(EN)を含んでいる。セクターI 822は無線リンク840'、842'によってそれぞれBS M 808につながれたEN(1) 836'、およびEN(X) 838'を含み；セクターII 824は無線リンク848'、850'によってそれぞれBS M 808につながれたEN(1') 844'およびEN(X') 846'を含み;セクター3 826は無線リンク856'、858'によってそれぞれBS 808につながれたEN(1") 852'、およびEN(X'') 854'を含んでいる。
【００４１】
システム800は、さらにネットワーク・リンク862、864を介してBS I 806およびBS M 808にそれぞれ繋がれるネットワーク・ノード860を含んでいる。
【００４２】
ネットワーク・ノード860はまた、他のネットワーク・ノード(例えば他の基地局、AAAサーバー・ノード、中間ノード、ルーター)などに繋がれ、またネットワーク・リンク866を介してインターネットに繋がれる。ネットワーク・リンク862、864、866は、例えば光ファイバケーブルかもしれない。各エンド・ノード、例えば、EN(1)836は、受信器と同様に送信器をも含む無線端末かもしれない。無線端末、例えば、EN(1)836はシステム800を通って移動するかもしれないし、無線リンクを介してENが現在位置するセルの中の基地局と通信するかもしれない。無線端末(WT)、例えばEN(1)836は、基地局(例えばBS 806)および／またはネットワーク・ノード860経由でピア・ノード(例えばシステム800内の、あるいはシステム800の外側の他のWT)と通信してもよい。WT、例えば、EN(1)836は、携帯電話、無線モデムを有するパーソナル・データ・アシスタント等のようなモバイル通信装置かもしれない。それぞれの基地局は、ストリップ−シンボル期間にわたって、トーンを割り付けるため、および残りのシンボル期間(例えば非ストリップ−シンボル期間)内でトーン・ホッピングを決定するために採用された方法とは異なる方法を使用して、トーン部分集合の割付けを実行する。無線端末は、特定のストリップ−シンボル期間にデータと情報を受け取るために、それらが使用することができるトーンを決定するために基地局から受け取った情報(例えば基地局スロープID、セクターID情報)と共にトーン部分集合割付け方法を使用する。トーン部分集合割付けシーケンスは、複数のそれぞれのトーンにわたってセクター間およびセル間の干渉を広げる種々の態様に従って構築される。
【００４３】
図9は種々の態様に従う例示的基地局900を図解する。基地局900は、複数の異なるセクター・タイプのセルについてそれぞれ生成された複数の異なるトーン部分集合割付けシーケンスと共に、トーン部分集合割付けシーケンスを実装する。基地局900は、図8のシステム800の基地局806および808のうちの任意の1つとして使用されてもよい。基地局900は、バス909で共に連結された受信器902、送信器904、プロセッサー906（例えば、CPU）、入力/出力インターフェース908およびメモリ910を含み、該バス上で、様々な要素902、904、906、908および910はデータと情報を交換することが可能である。
【００４４】
受信器902に繋がれたセクター化されたアンテナ903は、基地局のセル内の各セクターからの無線端末送信から、データおよび他の信号(例えばチャネル報告)を受け取るために使用される。送信器904に繋がれた、セクター化されたアンテナ905は、基地局のセルの各セクター内の無線端末1000(図10を参照)へデータおよび他の信号(例えば制御信号、パイロット信号、ビーコン信号など)を送信するために使用される。種々の態様では、基地局900は各セクターのために多数の受信器902および多数の送信器904(例えば各セクターの個々の受信器902および個々の送信器904)を使用するかもしれない。プロセッサー906は、例えば汎用中央処理装置(CPU)であってもよい。メモリ910に格納され、該方法を実現する１つ以上のルーチン918の指令の下に、プロセッサー906は基地局900の動作を制御する。I/Oインターフェース908は、他のネットワーク・ノードへの接続を提供し、他の基地局、アクセス・ルーター、AAAサーバー・ノードなど、他のネットワークおよびインターネットへBS 900を連結する。メモリ910はルーチン918およびデータ/情報920を含む。
【００４５】
データ/情報920は、データ936、ダウンリンク・ストリップ−シンボル時間情報940およびダウンリンクトーン情報942を含んでいるトーン部分集合割付けシーケンス情報938、およびWT情報の複数のセット：すなわちWT 1情報946およびWT N情報960を含む無線端末(WT)データ/情報944を含んでいる。WT情報の各セット、例えばWT 1情報946は、データ948、端末ID 950、セクターID 952、アップリンク・チャネル情報954、ダウンリンク・チャネル情報956およびモード情報958を含む。
【００４６】
ルーチン918は通信ルーチン922および基地局制御ルーチン924を含む。基地局制御ルーチン924はスケジューラ・モジュール926、およびストリップ−シンボル期間に関するトーン部分集合割付けルーチン930、残りのシンボル期間(例えば非ストリップ−シンボル期間)のための他のダウンリンク・トーン割付けホッピング・ルーチン932、およびビーコン・ルーチン934を含むシグナリング・ルーチン928を含んでいる。
【００４７】
データ936は、WTへの送信に先立って符号化するために送信器904の符号化器914に送信される送信データ、および、受信に続いて受信器902の復号化器912を介して処理された、WTからの受信データを含んでいる。ダウンリンク・ストリップ−シンボル時間情報940は、スーパースロット、ビーコンスロットのようなフレーム同期構造情報、ウルトラスロット構造情報、および与えられたシンボル期間がストリップ−シンボル期間かどうか、および、もしそうならストリップ−シンボル期間のインデックスを明示し、およびストリップ−シンボルは、基地局によって使用されるトーン部分集合割付けシーケンスをリセットするポイントか否かを明示する情報を含む。ダウンリンク・トーン情報942は、基地局900に割り当てられた搬送周波数を含む情報、トーンの数および周波数、およびストリップ−シンボル期間に割り付けられるトーン部分集合のセット、およびスロープ、スロープ・インデックスおよびセクター・タイプのようなセルおよびセクターに特有の他の値を含んでいる。
【００４８】
データ948は、WT1 1000がピア・ノードから受け取ったデータ、WT 1 1000がピア・ノードに送信されることを望むデータ、およびダウンリンク・チャネル品質報告フィードバック情報を含んでいてもよい。端末ID 950はWT 1 1000を識別する基地局900が割り当てたIDである。セクターID 952は、WT1 1000が作動しているセクターを識別する情報を含んでいる。セクターID 952は例えば、セクター・タイプを決定するために使用することができる。アップリンク・チャネル情報954は、例えばデータのためのアップリンク・トラフィック・チャネル・セグメント、リクエストのための専用のアップリンク制御チャネル、電力制御、タイミング制御などをWT1 1000が使用するためにスケジューラ926によって割り付けられたチャネル・セグメントを識別する情報を含んでいる。WT1 1000に割り当てられたアップリンク・チャネルの各々は、１つ以上の論理的なトーンを含み、論理的なトーンの各々はアップリンク・ホッピング・シーケンスに続く。ダウンリンク・チャネル情報956は、データおよび／またはWT1 1000への情報(例えば利用者データのためのダウンリンク・トラフィック・チャネル・セグメント)を運ぶためにスケジューラ926によって割り付けられたチャネル・セグメントを識別する情報を含んでいる。WT1 1000に割り当てられたダウンリンク・チャネルの各々は、１つ以上の論理的なトーンを含み、その各々はダウンリンク・ホッピング・シーケンスに続く。モード情報958は、WT1 1000の動作の状態(例えばスリープ、ホールド)を識別する情報を含んでいる。
【００４９】
通信ルーチン922は、様々な通信動作を行ない、かつ様々な通信プロトコルを実装するように基地局900を制御する。基地局の機能の基礎的なタスク(例えば信号の生成、受信、スケジュール)を実行するために基地局900を制御し、またストリップ−シンボル期間内にトーン部分集合割付けシーケンスを使用して、無線端末へ信号を送信することを含む幾つかの実施態様の方法のステップを実装するために、基地局制御ルーチン924は使用される。
【００５０】
シグナリング・ルーチン928は、自身の復号化器912を有する受信器902、および自身の符号化器914を持った送信器904の動作を制御する。シグナリング・ルーチン928は、送信されたデータ936および制御情報の生成を制御することに責任がある。トーン部分集合割付けルーチン930は、該実施態様の方法を使用し、ダウンリンク・ストリップ−シンボル時間情報940およびセクターID 952を含むデータ/情報920を使用して、ストリップ−シンボル期間中に使用されるトーン部分集合を構築する。ダウンリンク・トーン部分集合割付けシーケンスは、一つのセル内の各セクター・タイプ毎に異なり、隣接したセル毎に異なる。WT 1000は、ダウンリンク・トーン部分集合割付けシーケンスに従って、ストリップ−シンボル期間中の信号を受け取る;すなわち、基地局900は、送信された信号を生成するために同じダウンリンク・トーン部分集合割付けシーケンスを使用する。他のダウンリンク・トーン割付けホッピング・ルーチン932は、ダウンリンク・トーン情報942およびダウンリンク・チャネル情報956を含む情報を、ストリップ−シンボル期間以外のシンボル期間のために使用して、ダウンリンク・トーン・ホッピング・シーケンスを構築する。ダウンリンク・データトーン・ホッピング・シーケンスは、一つのセルの複数のセクターに跨って同期される。ビーコン・ルーチン934は、例えば、ダウンリンク信号のフレーム・タイミング構造、すなわち一のウルトラスロット境界に関するトーン部分集合割付けシーケンスを同期させるために、同期の目的のために使用されても良いビーコン信号(例えば1つあるいは少数のトーンに集中された相対的に高い電力の信号)の送信を制御する。
【００５１】
図10は例示的な無線端末(例えばエンド・ノード、移動装置、...)1000を図解し、それは、無線端末(例えばエンド・ノード、移動装置、...)のうちの任意の１つ(例えば、図8に示されるシステム800のEN(1) 836)として使用されることができる。無線端末1000はトーン部分集合割付けシーケンスを実装する。無線端末1000は、復号化器1012を含む受信器1002、符号化器1014を含む送信器1004、プロセッサー1006、およびメモリ1008を含み、それらは様々な要素1002、1004、1006、1008がその上でデータ及び情報を交換することができるバス1010で共に連結される。基地局900(および／または別個の無線端末)から信号を受け取るために使用されるアンテナ1003は、受信器1002に繋がれる。（例えば、基地局900（および／または別個の無線端末)へと）信号を送信するために使用されるアンテナ1005は、送信器1004に繋がれる。
【００５２】
プロセッサー1006(例えばCPU)は無線端末の動作を制御し、ルーチン1020を実行しメモリ1008の中のデータ/情報1022を使用することにより複数の方法を実装する。
【００５３】
データ/情報1022はユーザ・データ1034、ユーザ情報1036、およびトーン部分集合割付けシーケンス情報1050を含んでいる。ユーザ・データ1034は、ピア・ノードを宛先として意図され、基地局900への送信器1004による送信に先立って符号化するために符号化器1014にルーティングされるデータを含んでいてよく、基地局900から受け取られ、受信器1002の中の復号化器1012によって処理されたデータを含んでいてもよい。ユーザ情報1036は、アップリンク・チャネル情報1038、ダウンリンク・チャネル情報1040、端末ID情報1042、基地局ID情報1044、セクターID情報1046およびモード情報1048を含んでいる。アップリンク・チャネル情報1038は、基地局900へ送信する際に無線端末1000が使用するために、基地局900によって割り当てられたアップリンク・チャネル・セグメントを識別する情報を含んでいる。アップリンク・チャネルはアップリンク・トラフィック・チャネル、専用アップリンク制御チャネル(例えばリクエスト・チャネル)、電力制御チャネルおよびタイミング制御チャネルを含んでいてもよい。アップリンク・チャネルはそれぞれ1つ以上の論理的トーンを各々含み、各論理的トーンは一のアップリンク・トーン・ホッピング・シーケンスに続く。アップリンク・ホッピング・シーケンスは、セルの各セクター・タイプ間で、および隣接したセル間で異なります。ダウンリンク・チャネル情報1040は、BS 900がWT 1000にデータ/情報を送信しているに、使用のために基地局900によってWT 1000に割り当てられたダウンリンク・チャネル・セグメントを識別する情報を含んでいる。ダウンリンク・チャネルはダウンリンク・トラフィック・チャネルおよび割り当てチャネルを含むことが可能であり、各ダウンリンク・チャネルは１つ以上の論理的なトーンを含み、個々の論理的なトーンは、セルの各セクター間で同期されるダウンリンク・ホッピング・シーケンスに続くを含む。
【００５４】
ユーザ情報1036はさらに、基地局900が割り当てた識別子である端末ID情報1042、WTが通信を確立した特定の基地局900を識別する基地局ID情報1044、およびWT 1000が現在位置しているセルの特定のセクターを識別するセクターID情報1046を含む。基地局ID 1044はセル・スロープ値を提供し、セクターID情報1046はセクター・インデックス・タイプを提供する；セル・スロープ値およびセクター・インデックス・タイプはトーン・ホッピング・シーケンスを導出するために使用されてもよい。ユーザ情報1036にはさらに、WT 1000がスリープ・モード、ホールド・モード、あるいはオン・モードの何れであるかを識別するモード情報1048が含まれる。
【００５５】
トーン部分集合割付けシーケンス情報1050は、ダウンリンク・ストリップ−シンボル時間情報1052およびダウンリンク・トーン情報1054を含んでいる。ダウンリンク・ストリップ−シンボル時間情報1052は、スーパースロット、ビーコンスロット、およびウルトラスロット構造情報などのようなフレーム同期構造情報、および与えられたシンボル期間がストリップ−シンボル期間かどうか、もしそうならストリップ−シンボル期間のインデックスを明示し、および該ストリップ−シンボルは、基地局によって使用されるトーン部分集合割付けシーケンスを切り詰めるためのリセットポイントか否かを明示する情報を含む。ダウンリンク・トーン情報1054は、基地局900に割り当てられた搬送周波数を含む情報、トーンの数および周波数、およびストリップ−シンボル期間に割り付けられるトーン部分集合のセット、およびセルおよびセクターに特有の他の値（例えば、スロープ、スロープ・インデックスおよびセクター・タイプ）を含んでいる。
【００５６】
ルーチン1020は通信ルーチン1024、無線端末制御ルーチン1026およびサブバンド分析ルーチン1028を含んでいる。通信ルーチン1024は、WT 1000によって使用される様々な通信プロトコルを制御します。例として、通信ルーチン1024は、(例えば、基地局900から)ブロードキャスト信号を受け取ることを可能にしてもよい。無線端末制御ルーチン1026は、受信器1002および送信器1004の制御を含む無線端末1000の基礎的な機能を制御する。サブバンド分析ルーチン1028は、ダウンリンクによって転送される情報を生成するために無線通信環境内で１つ以上のサブバンドを評価することを制御する。例えば、無線端末1000が狭帯域装置である場合、サブバンド分析ルーチン1028は特定の時間区間中に1つのサブバンドを復号化することを可能にすることができる。さらに、無線端末1000が広帯域の装置である場合、サブバンド分析ルーチン1028は、ダウンリンク上に送られた情報を得るために複数のサブバンドを並列的に復号化することを容易にすることができる。
【００５７】
図11に関して、図解されるものは、広帯域および狭帯域の無線通信装置をサポートすることを可能にするシステム1100である。例えば、システム1100は、少なくとも部分的には、基地局内に存在するかもしれない。機能ブロック(これらは、プロセッサー、ソフトウェアあるいはそれらの組み合わせ(例えばファームウェア)によって実装された機能を表わす機能ブロックかもしれない)を含んでいるようにシステム1100が表わされることが理解される。システム1100は、関連して作用することができる電気部品の論理的なグループ化1102を含んでいる。例えば、論理的なグループ化1102のは、時間区間1104の第１のセットの期間中に第１のサブバンドを介して１セットの情報ユニットを転送するための電気部品を含んでいてもよい。一の実例に準ずると、第１のサブバンドの上で転送された情報のセットは、そのような情報を得るためにダウンリンク帯域幅の一部を復号化する装置(例えば、狭帯域無線端末)によって利用されることができる。さらに、論理的なグループ化1102は、第１のセット1106より少数の時間区間を含んでいる、時間区間の第２のセットの期間中に、複数のサブバンド(それらは第１のサブバンドを含んでいる)を介して情報ユニットのセットを転送するための電気部品を含んでもよい。例えば、装置(例えば広帯域無線端末)は、情報ユニットのセットを受け取るためにサブバンドのセットを復号化することができる。さらなる実例として、狭帯域装置と比較して、そのような装置は、より短い時間期間内で情報ユニットのセットを受け取ることができ、および／または複数のサブバンドのうちの1つ以上の上でダウンリンクにより転送された追加のデータを得ることができる。さらに、システム1100は、電気部品1104および1106に関連した機能を実行するための命令を保持するメモリ1108を含んでいるかもしれない。メモリ1108の外側にあることとして示されましたが、電気部品1104および1106のうちの１つ以上がメモリ1108内に存在するかもしれないことが理解される。
【００５８】
ハードウェア、ソフトウェア、ファームウェア、ミドルウェア、マイクロコードあるいはそれらの任意の組み合わせにおいて本明細書で記述された実施例が実装されてもよいことが理解される。ハードウェア実装については、処理装置は１つ以上の特定用途向けIC(ASIC)、デジタル信号プロセッサ(DSP)、デジタル信号処理装置(DSPD)、プログラム可能論理回路(PLD)、フィールドプログラム可能なゲート・アレイ(FPGA)、プロセッサー、コントローラー、マイクロ・コントローラ、マイクロプロセッサー、本明細書に記述された機能を実行するように設計された他の電子ユニット、あるいはそれらの組み合わせの内に実装されてもよい。
【００５９】
該複数の実施例がソフトウェア、ファームウェア、ミドルウェア、あるいはマイクロコード、プログラム・コードまたはコードセグメント中で実装される場合、それらはストレージ部品のような機械可読媒体に格納されてもよい。コードセグメントはプロシージャ、関数、サブ・プログラム、プログラム、ルーチン、サブルーチン、モジュール、ソフトウェア・パッケージ、クラスあるいは複数の命令、データ構造もしくはプログラム文の任意の組み合わせを表わしてもよい。コードセグメントは、情報、データ、引き数、パラメーターあるいはメモリ内容を渡し、および/または受け取ることにより、別のコードセグメントあるいはハードウェア回路に結合されることが可能である。メモリ共有、メッセージ・パッシング、トークン・パッシング、ネットワーク送信などを含む任意の適切な手段を使用して、情報、引き数、パラメーター、データなどは渡されるか、中継されるか、または送信される。
【００６０】
ソフトウェア実装については、本明細書に記述された技術は、本明細書に記述された機能を実行するモジュール(例えばプロシージャ、関数など)で実装されてもよい。ソフトウェア・コードはメモリー・ユニットに格納され、プロセッサーによって実行されてもよい。メモリー・ユニットはプロセッサー内に実装され、あるいはプロセッサーの外部に実装されてもよく、その場合には、当該技術分野において周知な様々な手段によって通信によりプロセッサーに結合されることが可能である。
【００６１】
上記に記述されたものは、１つ以上の実施例の例を含んでいます。それは、前述の実施例について記述する目的のための複数のコンポーネントまたは方法の考えられるあらゆる組み合わせについて記述すること勿論できないが、当業者は、様々な実施例の多くのさらなる組み合わせ、および組み換えが可能であることを認識するだろう。従って、記述された実施例は、追加された特許請求の範囲の精神および範囲以内にあるような変更、修正および変化を全て包含するように意図される。用語「含んでいる」が、「発明の詳細な説明」あるいは「特許請求の範囲」のいずれかの中で使用される限りにおいて、そのような用語は、請求項中で結合語として使用される際に用語「備える」が解釈される場合と同様の態様で包含的であることが意図されている。
【図１】
2010504704.tif 000003
【図２】
2010504704.tif 000004
【図３】
2010504704.tif 000005
【図４】
2010504704.tif 000006
【図５】
2010504704.tif 000007
【図６】
2010504704.tif 000008
【図７】
2010504704.tif 000009
【図８】
2010504704.tif 000010
【図９】
2010504704.tif 000011
【図１０】
2010504704.tif 000012
【図１１】
2010504704.tif 000013
【国際調査報告】
2010504704.tif 000014
2010504704.tif 000015
2010504704.tif 000016